(57)【特許請求の範囲】
【請求項１】
透液性の表面シートと、不透液性の裏面シートと、前記表面シートと前記裏面シートとの間に介装される吸収体と、前記吸収体の長手方向両側縁に沿って、内向きに配置された第１立体ギャザーと、前記第１立体ギャザーよりも外側で内向きに配置された第２立体ギャザーとを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備える吸収性物品において、
前記第１立体ギャザー及び前記第２立体ギャザーが不透液性のシートで形成され、
前記第１立体ギャザーの起立点と前記第２立体ギャザーの起立点とが間隔を隔てて配置され、
前記第１立体ギャザーの起立点と前記第２立体ギャザーの起立点との間の部位に透液性の表面シートが露出して、かかる部位の表面シートから前記吸収体まで透液可能に構成され、
前記第１立体ギャザーの背側の端部が、前記第２立体ギャザーの背側の端部より、股下部寄りに配置され、
前記吸収体の長手方向縁部から内側に向かって前記背側部の方向に傾斜し、前記第１立体ギャザーの背側の端部と、前記第２立体ギャザーの背側の端部との間を通り前記第１立体ギャザーより内側に至るスリット又は凹部が前記吸収体に形成された吸収性物品。
【請求項２】
前記第２立体ギャザーが前記第１立体ギャザーより高く形成されている請求項１に記載の吸収性物品。
【請求項３】
股下部側に向けて開口する背漏れ防止ポケットが不透液性のシートにより背側縁部に形成され、当該背漏れ防止ポケットの開口は、片側の前記第２立体ギャザーから逆側の前記第２立体ギャザーまで亘って形成された請求項１又は請求項２に記載の吸収性物品。
【発明の詳細な説明】
【技術分野】
【０００１】
本発明は、吸収性物品に関する。
【背景技術】
【０００２】
従来、吸収性物品として、おむつやおむつカバー、パンツなどの人体に装着される外装体の内側に取り付けられて使用される吸収パッドが知られている。
このような吸収性物品においては、尿等の排泄物の漏れ防止が一つの課題となる。
従来、特許文献１，２にも記載されるように、かかる課題の解決手段の一つとして、内面に両側等で起立するフラップ、すなわち、立体ギャザーが設けられることがある。
特許文献１には、単一のサイドシ−トにより、内向きに配置された第１立体ギャザーと、外向きに配置された第２立体ギャザーとを形成することが記載されている。
特許文献２には、起立するフラップは片側で一つであるが、ジグザクに幾重にも折り重ねられて形成されることが記載されている。
また従来、尿等を迅速に拡散させるためや、体へのフィット性を向上させるために、吸収体にスリットを設けることがあった。
【先行技術文献】
【特許文献】
【０００３】
【特許文献１】特開平１１−２０６８１０号公報
【特許文献２】特開平８−２１５２３９号公報
【発明の概要】
【発明が解決しようとする課題】
【０００４】
両側それぞれに複数の立体ギャザーを形成するにあたっては、漏れ防止性、吸収体への捕集性を効果的に向上することが望まれる。
また、吸収体にスリットを設けると、尿等を迅速に移動させるだけに側縁等からの漏れのおそれが懸念されるから、スリットを設ける場合の漏れ防止性も向上することが望ましい。
【０００５】
本発明は、両側それぞれに複数の立体ギャザーを形成するにあたり、その構造、配置等を工夫して漏れ防止性、吸収体への捕集性を向上することを課題とする。
【課題を解決するための手段】
【０００６】
以上の課題を解決するための請求項１記載の発明は、透液性の表面シートと、不透液性の裏面シートと、前記表面シートと前記裏面シートとの間に介装される吸収体と、前記吸収体の長手方向両側縁に沿って、内向きに配置された第１立体ギャザーと、前記第１立体ギャザーよりも外側で内向きに配置された第２立体ギャザーとを備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備える吸収性物品において、
前記第１立体ギャザー及び前記第２立体ギャザーが不透液性のシートで形成され、
前記第１立体ギャザーの起立点と前記第２立体ギャザーの起立点とが間隔を隔てて配置され、
前記第１立体ギャザーの起立点と前記第２立体ギャザーの起立点との間の部位に透液性の表面シートが露出して、かかる部位の表面シートから前記吸収体まで透液可能に構成され、
前記第１立体ギャザーの背側の端部が、前記第２立体ギャザーの背側の端部より、股下部寄りに配置され、
前記吸収体の長手方向縁部から内側に向かって前記背側部の方向に傾斜し、前記第１立体ギャザーの背側の端部と、前記第２立体ギャザーの背側の端部との間を通り前記第１立体ギャザーより内側に至るスリット又は凹部が前記吸収体に形成された吸収性物品である。
【０００７】
請求項１記載の発明によれば、第１立体ギャザーの起立点と第２立体ギャザーの起立点とが間隔を隔て配置されているので、第１立体ギャザーと第２立体ギャザーとで起立点が同位置である場合に比較して第１立体ギャザーと第２立体ギャザーとの間に大きな容量が生じ、内側の第１立体ギャザーを越えた尿等の排泄物を外側の第２立体ギャザーが比較的多い量まで堰き止めるので、漏れ防止性が向上する。
また請求項１記載の発明によれば、内側の第１立体ギャザーを越え外側の第２立体ギャザーに堰き止められた尿等の排泄物を、両立体ギャザー間底部の透液性の表面シートから内部に透過させて吸収体に吸収させることができ、両立体ギャザー間の容量を超えて両立体ギャザー間に排泄物が侵入しても吸収体に吸収させることで漏れ防止性が向上するとともに、吸収体への捕集性が向上する。
また請求項１記載の発明によれば、内側の第１立体ギャザーを越え外側の第２立体ギャザーに堰き止められた尿等の排泄物を、背側方向へ第２立体ギャザーで案内しつつ第１立体ギャザーの背側の端部を回り込ませて、第１立体ギャザーより内側に再導入し、吸収体に吸収させることができ、両立体ギャザー間の容量を超えて両立体ギャザー間に排泄物が侵入しても、その一部が吸収体に吸収されることで漏れ防止性が向上し、内側の第１立体ギャザーを超えた排泄物を外側の第２立体ギャザーで捕られて吸収体に導くことで吸収体への捕集性が向上する。
また請求項１記載の発明によれば、第１立体ギャザーの背側の端部よりさらに背側に移動する排泄物を吸収体に形成されたスリット又は凹部により効果的に第１立体ギャザーより内側に導き、吸収体に吸収させることができる。
【０００８】
請求項２記載の発明は、前記第２立体ギャザーが前記第１立体ギャザーより高く形成されている請求項１に記載の吸収性物品である。
【０００９】
請求項２記載の発明によれば、第２立体ギャザーが第１立体ギャザーより高く形成されているので、内側の第１立体ギャザーを尿等の排泄物が越える時にも、外側の第２立体ギャザーが人体と離れることが抑制されて、第２立体ギャザーで確実性高く排泄物を堰き止めるので、漏れ防止性が向上する。
【００１４】
請求項３記載の発明は、股下部側に向けて開口する背漏れ防止ポケットが不透液性のシートにより背側縁部に形成され、当該背漏れ防止ポケットの開口は、片側の前記第２立体ギャザーから逆側の前記第２立体ギャザーまで亘って形成された請求項１又は請求項２に記載の吸収性物品である。
【００１５】
請求項３記載の発明によれば、第１立体ギャザーの背側の端部を回り込んで移動する排泄物の背側縁からの漏れを防止することができる。
【発明の効果】
【００１６】
本発明によれば、第１立体ギャザーと第２立体ギャザーとで起立点が同位置である場合に比較して第１立体ギャザーと第２立体ギャザーとの間に大きな容量が生じ、内側の第１立体ギャザーを越えた尿等の排泄物を外側の第２立体ギャザーが比較的多い量まで堰き止めることができ、さらに、両立体ギャザー間底部の透液性の表面シートから内部に透過させて吸収体に吸収させることができるので、漏れ防止性が向上するとともに、吸収体への捕集性が向上するという効果がある。また、両立体ギャザー間に尿等の排泄物が吸収体に吸収されることなく留まる量が減少し、着用者の不快感を緩和することができるという効果がある。
【図面の簡単な説明】
【００１７】
【図１】本実施形態の吸収性物品の装着時の状態の一例を示す斜視図である。
【図２】本実施形態の吸収性物品の下側の一例を示す平面展開図である。
【図３】本実施形態の吸収性物品の上側の一例を示す平面展開図である。
【図４】本実施形態の吸収性物品が備える吸収体の上側の一例を示す平面展開図である。
【図５】図３のＡ−Ａ部の一例を示す断面図である。
【図６】図３のＢ−Ｂ部の一例を示す断面図である。
【図７】本発明の他の実施形態に係る吸収性物品の上側の一例を示す平面展開図である。
【発明を実施するための形態】
【００１８】
以下に本発明の一実施形態につき図面を参照して説明する。以下は本発明の一実施形態であって本発明を限定するものではない。
【００１９】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向とする。
【００２０】
吸収性物品１は、例えば夜用又は長時間用の尿取りパッドであり、おむつやおむつカバー、パンツなどの人体に装着される外装体（図示省略）に着脱・交換自在に取り付けられて使用される。
【００２１】
吸収性物品１は、装着時に着用者の股部を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
背側部１２は、前後方向の長さが腹側部１１よりも長く形成されており、かつ、左右方向の長さが腹側部１１や股下部１３よりも長く形成されている。これにより、背側部１２によって着用者の背側を広く覆うことができる。
また、股下部１３の両縁部は、腹側部１１から背側部１２に亘って、装着時に着用者の脚周りに位置する二つの脚周り部１４を形成する。この脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股下により密着させることができるようになっている。
【００２２】
吸収性物品１は、装着時に着用者との接触面側（上側）に設けられる透液性の表面シート２０と、装着時に着用者との接触面と反対側（下側）に設けられる不透液性の裏面シート３０と、装着時に着用者との接触面と反対側の外部側に設けられる不織布からなるバックシート４０と、表面シート２０と裏面シート３０との間に介装される吸収体６０と、表面シート２０側の吸収体６０の幅方向両側縁部（左側縁部及び右側縁部）に、吸収性物品１の長手方向（前後方向）に沿って備えられた第１ギャザーシート５０Ａ，５０Ａ及び第２ギャザーシート５０Ｂ，５０Ｂと、バックシート４０における腹側部１１に設けられ、吸収性物品１を外装体に固定するための固定部材７０と、により主に構成される。
【００２３】
表面シート２０は、吸収性物品１を装着した際に着用者に接する面を形成し、吸収体６０の上側に設けられ、体液を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００２４】
裏面シート３０は、吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、不透液性のシートであれば、不透湿性であっても良い。
【００２５】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。また、クロスライクさが得られるため、見た目にムレ難さを与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２６】
第１ギャザーシート５０Ａ，５０Ａ及び第２ギャザーシート５０Ｂ，５０Ｂは、表面シート２０側において、吸収体６０の長手方向に沿った両側縁部に、腹側部１１から背側部１２に亘ってそれぞれ備えられている。第１ギャザーシート５０Ａ，５０Ａ及び第２ギャザーシート５０Ｂ，５０Ｂは、裏面シート３０と同じく不透液性のシートで形成される。
第１ギャザーシート５０Ａ，５０Ａの幅方向（左右方向）外側の部分は、吸収体６０の側縁部上方で表面シート２０の上面に固着されている。
また、第１ギャザーシート５０Ａ，５０Ａの幅方向内側の部分は、図３に示すＣ−Ｄ１間において表面シート２０に固定されておらず、その長手方向（前後方向）に沿って糸ゴム等の立体ギャザー用弾性部材５０１Ａが備えられており、起立して着用者の体型に合わせて伸縮自在に変形可能な一対の第１立体ギャザー５１Ａ，５１Ａが形成されている。
第２ギャザーシート５０Ｂ，５０Ｂの幅方向（左右方向）外側の部分は、吸収体６０の側方で表面シート２０及び裏面シート３０の上面に固着されている。
また、第２ギャザーシート５０Ｂ，５０Ｂの幅方向内側の部分は、図３に示すＣ−Ｄ２間において表面シート２０及び裏面シート３０に固定されておらず、その長手方向（前後方向）に沿って糸ゴム等の立体ギャザー用弾性部材５０１Ｂが備えられており、起立して着用者の体型に合わせて伸縮自在に変形可能な一対の第２立体ギャザー５１Ｂ，５１Ｂが形成されている。
【００２７】
第１立体ギャザー５１Ａ，５１Ａ及び第２立体ギャザー５１Ｂ，５１Ｂは、吸収体６０の長手方向両側縁に沿って内向きに配置される。第２立体ギャザー５１Ｂは、第１立体ギャザー５１Ａよりも外側に配置される。第１立体ギャザー５１Ａと第２立体ギャザー５１Ｂとにより、平行な二重の立体ギャザーが構成される。
第１立体ギャザー５１Ａの起立点と第２立体ギャザー５１Ｂの起立点とが間隔を隔て配置される。また、図５に示すように表面シート２０の上面において第１ギャザーシート５０Ａと第２ギャザーシート５０Ｂとが間隔を隔てて配置されることにより、第１立体ギャザー５１Ａの起立点と第２立体ギャザー５１Ｂの起立点との間の部位に透液性の表面シート２０が露出して、かかる部位の表面シート２０から吸収体６０まで透液可能に構成されている。
【００２８】
外側の第２立体ギャザー５１Ｂが内側の第１立体ギャザー５１Ａより高く形成されている。
また、内側の第１立体ギャザー５１Ａは、外側の第２立体ギャザー５１Ｂより短く形成されている。
第１立体ギャザー５１Ａの腹側の端部及び第２立体ギャザー５１Ｂの腹側の端部は、図３に示す位置Ｃであるのに対し、第１立体ギャザー５１Ａの背側の端部は図３に示す位置Ｄ１であり、第２立体ギャザー５１Ｂの背側の端部は図３に示す位置Ｄ２であり、位置Ｄ１が位置Ｄ２より股下部寄りに配置される。
【００２９】
吸収体６０は、腹側部１１から股下部１３を通り背側部１２に亘る位置に配置された、吸収性物品１の使用時に体液としての尿等の水様成分を吸収する役割を果たすものである。
具体的には、吸収体６０は、例えば、図４〜図６に示すように、綿やパルプなどの吸収性素材や、繊維或いはフィルム等のシート状基材と高吸収性ポリマーのような高吸水性樹脂とが組み合わされて形成された吸収体コア６２が、透液性のクレープ紙６１により覆われて構成されている。ここで、図４においては、吸収体コア６２を覆うクレープ紙６１の外形を仮想線（二点鎖線）で表している。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
なお、吸収体６０において、吸収体コア６２を覆うものは、クレープ紙６１に限ることはなく、透液性の不織布や孔開きシートなどであっても良い。
【００３０】
吸収体コア６２には、吸収体コア６２における背側部１２に、背側縁に向かって間隔が狭まるハの字型の一対のスリットＳ１，Ｓ１が設けられている。
スリットＳ１，Ｓ１はそれぞれ、第１立体ギャザー５１Ａの背側の端部（位置Ｄ１）と、第２立体ギャザー５１Ｂの背側の端部（位置Ｄ２）との間を通り第１立体ギャザー５１Ａより内側に至る。
【００３１】
固定部材７０は、吸収性物品１を外装体に接着させて固定する役割を果たす、粘着テープであり、剥離紙を剥がすと粘着部分が露出するようになっている。
固定部材７０は、例えば、図２に示すように、略矩形状をなしており、吸収性物品１を装着した際に着用者に接する面と反対側の面（バックシート４０の下面）における腹側部１１の中央部に備えられている。
ここで、固定部材７０の配置位置は、吸収性物品１のめくれを抑制してズレ難くする等の観点から、腹側部１１のより前側であることが好ましい。また、固定部材７０のサイズは、吸収性物品１を外装体にしっかりと固定させる等の観点から、長さ（前後方向の長さ）が３０ｍｍ以上、幅（左右方向の長さ）が４０ｍｍ以上であることが好ましい。また、粘着テープには透湿性（通気性）がないため、特に裏面シート３０として透湿性を有する不透液性のシートを採用した場合には、裏面シート３０による通気を阻害しない等の観点から、固定部材７０の面積は、バックシート４０（裏面シート３０）の面積の２０％未満であることが好ましい。
また、粘着テープをホットメルトで形成する場合、ホットメルトの目付けが高いほど（ホットメルトの塗布量が多いほど）粘着力は高くなるが、粘着力が高すぎると、外装体としておむつを採用した際に、吸収性物品１の交換時に当該おむつのトップシート（表面シート）を毛羽立たせてしまうおそれがあるため、ホットメルトの目付けは２０〜６０ｇ／ｍ２が好ましく、３０〜４０ｇ／ｍ２がより好ましい。
なお、固定部材７０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００３２】
以上説明した本実施形態の吸収性物品１によれば、第１立体ギャザー５１Ａの起立点と第２立体ギャザー５１Ｂの起立点とが間隔を隔て配置されているので、第１立体ギャザーと第２立体ギャザーとで起立点が同位置である場合に比較して第１立体ギャザー５１Ａと第２立体ギャザー５１Ｂとの間に大きな容量が生じ、内側の第１立体ギャザー５１Ａを越えた尿等の排泄物を外側の第２立体ギャザー５１Ｂが比較的多い量まで堰き止めるので、漏れ防止性が向上する。
また、内側の第１立体ギャザー５１Ａを越え外側の第２立体ギャザー５１Ｂに堰き止められた尿等の排泄物を、両立体ギャザー５１Ａ，５１Ｂ間底部の透液性の表面シート２０から内部に透過させて吸収体６０に吸収させることができ、両立体ギャザー５１Ａ，５１Ｂ間の容量を超えて両立体ギャザー間に排泄物が侵入しても吸収体６０に吸収させることで漏れ防止性が向上するとともに、吸収体への捕集性が向上する。
【００３３】
また本実施形態の吸収性物品１によれば、第２立体ギャザー５１Ｂが第１立体ギャザー５１Ａより高く形成されているので、内側の第１立体ギャザー５１Ａを尿等の排泄物が越える時にも、外側の第２立体ギャザー５１Ｂが人体と離れることが抑制されて、第２立体ギャザー５１Ｂで確実性高く排泄物を堰き止めるので、漏れ防止性が向上する。
【００３４】
また本実施形態の吸収性物品１によれば、内側の第１立体ギャザー５１Ａを越え外側の第２立体ギャザー５１Ｂに堰き止められた尿等の排泄物を、背側方向へ第２立体ギャザー５１Ｂで案内しつつ第１立体ギャザー５１Ａの背側の端部（位置Ｄ１）を回り込ませて、第１立体ギャザー５１Ａより内側に再導入し、吸収体６０に吸収させることができ、両立体ギャザー５１Ａ，５１Ｂ間の容量を超えて両立体ギャザー５１Ａ，５１Ｂ間に排泄物が侵入しても、その一部が吸収体６０に吸収されることで漏れ防止性が向上し、内側の第１立体ギャザー５１Ａを超えた排泄物を外側の第２立体ギャザー５１Ｂで捕られて吸収体６０に導くことで吸収体への捕集性が向上する。
【００３５】
また本実施形態の吸収性物品１によれば、第１立体ギャザー５１Ａの背側の端部（位置Ｄ１）よりさらに背側に移動する排泄物を吸収体６０に形成されたスリットＳ１により効果的に第１立体ギャザー５１Ａより内側に導き、吸収体６０に吸収させることができる。スリットＳ１に代えて吸収体コア６２に凹部をスリットＳ１と同位置に形成しても有効である。また、スリットＳ１，Ｓ１又は凹部を、二対以上に設けることで、さらに、内側への流動性が高まる。
なお、排泄物の第１立体ギャザー５１Ａの背側の端部（位置Ｄ１）を回り込む流動に伴う本吸収性物品１の背側縁からの漏れを防ぐため、図７に示す背漏れ防止ポケット８０を設けることが有効である。
この背漏れ防止ポケット８０は、不透液性のシートにより形成され、股下部側に向けて開口する開口８１を有する。開口８１は、第１立体ギャザー５１Ａ，５１Ａの背側の端部（位置Ｄ１）より背側に、第２立体ギャザー５１Ｂ，５１Ｂの背側の端部（位置Ｄ２）より股下側に配置される。開口８１は、片側の第２立体ギャザー５１Ｂから逆側の第２立体ギャザー５１Ｂまで亘って形成される。例えば、背漏れ防止ポケット８０の両側縁部を第２ギャザーシート５０Ｂ，５０Ｂの上に接合することにより構成される。
この背漏れ防止ポケット８０により、第１立体ギャザー５１Ａの背側の端部（位置Ｄ１）を回り込んで移動する排泄物の背側縁からの漏れを防止することができる。
【００３６】
また本実施形態の吸収性物品１によれば、人体への装着時には、第１立体ギャザー５１Ａ、第２立体ギャザー５１Ｂ及び平面ギャザー（平面ギャザー用弾性部材１４１）が三次元的に変形しているが、その時、一番高い第２立体ギャザー５１Ｂを両側から第１立体ギャザー５１Ａと平面ギャザーとが支えることで、第２立体ギャザー５１Ｂが倒れにくくなり、漏れ防止性が向上する。
また、立体ギャザー用弾性部材５０１Ａを一本とすることで、吸収体６０をヨレにくくすることができる。
また、上記実施形態に拘らず、立体ギャザー用弾性部材５０１Ｂを複数本平行に間隔を隔てて設置することも有効である。この場合、外側の第２立体ギャザー５１Ｂがより一層倒れにくくなる。
【００３７】
なお、本発明は、上記した実施の形態のものに限るものではなく、その要旨を逸脱しない範囲で適宜変更可能である。
【００３８】
また、本発明の吸収性物品は、バックシート４０を備えていなくても良い。この場合、固定部材７０は、高分子シート材からなる裏面シート３０に取り付けられるため、固定部材７０が粘着テープであっても、吸収性物品を外装体から取り外した際に固定部材７０が外装体に残り難く、きれいに剥がすことができる。
【００３９】
また、本発明の吸収性物品は、平面ギャザーが股下部１３のみに備えられたものに限ることはなく、例えば、股下部１３及び背側部１２に平面ギャザーが備えられたものであっても良い。背側部１２にも平面ギャザーを備えた場合、吸収性物品が幅方向に湾曲し易くなるため、より液漏れし難くなる。
また、本発明の吸収性物品は、平面ギャザーを備えず、第１、第２立体ギャザー５１Ａ，５１Ａ，５１Ｂ，５１Ｂのみを備えるものであっても良い。
【００４０】
また、本発明の吸収性物品は、夜用又は長時間用の尿取りパッドに限るものではなく、透液性の表面シート２０と、不透液性の裏面シート３０と、表面シート２０と裏面シート３０との間に介装される吸収体６０と、を備える吸収パッドであれば用途は任意である。
【符号の説明】
【００４１】
１  吸収性物品
１１  腹側部
１２  背側部
１３  股下部
１４  脚周り部
２０  表面シート
３０  裏面シート
４０  バックシート
５０Ａ，５０Ｂ  ギャザーシート
５１Ａ  第１立体ギャザー
５１Ｂ  第２立体ギャザー
６０  吸収体
６２  吸収体コア
７０  固定部材
８０  背漏れ防止ポケット
１４１  平面ギャザー用弾性部材
５０１Ａ，５０１Ｂ  立体ギャザー用弾性部材
Ｓ１  スリット
【図１】
0005581088.tif 000002
【図２】
0005581088.tif 000003
【図３】
0005581088.tif 000004
【図４】
0005581088.tif 000005
【図５】
0005581088.tif 000006
【図６】
0005581088.tif 000007
【図７】
0005581088.tif 000008